(57)【要約】【課題】発電プラントの取水口の壁面に水生生物が付着するのを防止するための陰極防汚システムに関して、当該システムを構成する電極パネルを取水口の壁面に設置する際の施工性を向上させる。【解決手段】取水口１の壁面１ａに、複数の取付レール５を平行に離間させて固定し、隣り合う取付レール５間にその配設方向に沿って電極パネル２を滑り込ませる。【選択図】  図２
2004270164.tif 000002
【特許請求の範囲】
【請求項１】
少なくとも平行な２辺を有する板状の電極パネルを、水生生物の付着防止といった防汚処理を必要とする壁面に設置する電極パネルの設置方法であって、
前記壁面に、前記２辺を滑らせる複数の支持部材を固定し、該支持部材間にその配設方向に沿って前記電極パネルを滑り込ませることを特徴とする電極パネルの設置方法。
【請求項２】
少なくとも表面がアルカリ不溶性の導電材料からなる板状の電極パネルを、水生生物の付着防止といった防汚処理を必要とする壁面に設置し、前記金属パネルの近傍でかつ該金属パネルとともに水中に没する位置に電極部材を設置し、前記電極パネルを陰極、前記電極部材を陽極として海水を介して両極間に通電し、前記電極パネルからヒドロキシイオン（ＯＨ−）を発生させて水生生物の付着を防止する陰極防汚システムであって、
前記壁面に、複数の支持部材が固定され、該支持部材間に前記電極パネルが嵌め込まれて固定されていることを特徴とする陰極防汚システム。
【請求項３】
前記支持部材間に前記電極パネルを複数嵌め込むこととし、該支持部材間に嵌め込まれて隣り合う電極パネル間には、該電極パネルを支持して前記壁面に固定される桟が設けられていることを特徴とする請求項２記載の陰極防汚システム。
【請求項４】
前記電極パネルに、前記支持部材間に嵌め込まれた状態で自らを前記壁面に押し付ける力を発揮する付勢手段が設けられていることを特徴とする請求項２または３記載の陰極防汚システム。
【請求項５】
前記電極パネルが、平坦な基板の少なくともいずれか一方の側面に前記導電材料を貼付されたものであることを特徴とする請求項２記載の陰極防汚システム。
【請求項６】
前記電極パネルのうち、前記壁面に向かい合って配設される側面が、防食材に被覆されていることを特徴とする請求項５記載の陰極防汚システム。
【請求項７】
前記支持部材と前記電極パネルとの間に、両者にそれぞれ係止することで前記支持部材に前記電極パネルを固定するスプラインが設けられていることを特徴とする請求項２記載の陰極防汚システム。
【請求項８】
前記支持部材間に嵌め込まれた電極パネルと前記壁面との間に充填材が配設されていることを特徴とする請求項２記載の陰極防汚システム。
【請求項９】
前記充填材が前記壁面と前記電極パネルとを全面的または部分的に接着する接着剤であることを特徴とする請求項８記載の陰極防汚システム。
【発明の詳細な説明】
【０００１】
【発明の属する技術分野】
本発明は、例えば発電プラントの取水口の壁面に水生生物が付着するのを防止するためのシステムに関して、当該システムを構成する電極パネルを取水口内に設置する方法に関する。
【０００２】
【従来の技術】
発電プラント用の冷却水として海水を取り込む取水口の壁面にも、他の沿岸構造物と同様に藻類や貝類等の水生生物が付着するが、こういった水生生物が付着すると、取水量が減少したり、付着した生物が壁面から剥がれ落ちてプラントに流れ込み、内部の機器を破損したりする問題があった。このような問題に対し、従来は、取水口の向かい合う壁面にそれぞれ導電塗膜を形成し（もしくは壁面に設置したパネルに導電塗膜を形成し）、一方の壁面の東電塗膜を陰極、他方の壁面の導電塗膜を陽極として両極間に通電し、導電塗膜に近接して存在する海水を電気分解して塩素ガスを発生させることにより、水生生物の付着を防止するシステムが採用されている（例えば、下記の特許文献１）。
【０００３】
上記のような導電塗膜を用いた水生生物付着の防止システムにおいては、導電材料を塗布する際の手間がかかる割に耐久性に乏しく、塗膜の塗り替え周期が短いといった指摘がある。そこで、取水口の壁面に沿い、取水口内の海水に浸かるように導電材料製の電極パネルを設置するとともに、電極パネルの近傍に取水口内の海水に浸かるように電極部材を設置し、電極パネルを陰極、電極部材を陽極として海水を介して通電し、水生生物の付着を防止するシステムが検討されている（例えば、下記の特許文献２、３）。
【０００４】
【特許文献１】
特公平０７−１１９４４７号公報（第２頁右欄、第１、第２図）
【特許文献２】
特開平０９−０８８０３３号公報（段落［００２１］から［００２２］、図１）
【特許文献３】
特開平１０−２９２３５５号公報（段落［００１３］から［００１５］、図１）
【０００５】
【発明が解決しようとする課題】
上記のような水生生物の付着を防止するシステムによれば、導電塗膜にかえて電極パネルを設置することにより、耐久性が大幅に改善されることが期待されている。しかしながら、塗膜の塗り替え作業は解消されるとしても、比較的大型の電極パネルを、水生生物の付着を防止すべき壁面全体に設置するには、かなり大掛かりな作業が必要になると予想される。
【０００６】
本発明は上記の事情に鑑みてなされたものであり、取水口に上記システムを構築する段階において、電極パネルを取水口の壁面に設置する際の施工性を向上させることを目的としている。
【０００７】
【課題を解決するための手段】
上記の課題を解決するための手段として、次のような構成の電極パネルの設置方法および陰極防汚システムを採用する。
すなわち本発明に係る請求項１記載の電極パネルの設置方法は、少なくとも平行な２辺を有する板状の電極パネルを、水生生物の付着防止といった防汚処理を必要とする壁面に設置する電極パネルの設置方法であって、
前記壁面に、前記２辺を滑らせる複数の支持部材を固定し、該支持部材間にその配設方向に沿って前記電極パネルを滑り込ませることを特徴とする。
【０００８】
請求項２記載の陰極防汚システムは、少なくとも表面がアルカリ不溶性の導電材料からなる板状の電極パネルを、水生生物の付着防止といった防汚処理を必要とする壁面に設置し、前記金属パネルの近傍でかつ該金属パネルとともに水中に没する位置に電極部材を設置し、前記電極パネルを陰極、前記電極部材を陽極として海水を介して両極間に通電し、前記電極パネルからヒドロキシイオン（ＯＨ−）を発生させて水生生物の付着を防止する陰極防汚システムであって、
前記壁面に、複数の支持部材が固定され、該支持部材間に前記電極パネルが嵌め込まれて固定されていることを特徴とする。
【０００９】
請求項３記載の陰極防汚システムは、請求項２記載の陰極防汚システムにおいて、前記支持部材間に前記電極パネルを複数嵌め込むこととし、該支持部材間に嵌め込まれて隣り合う電極パネル間には、該電極パネルを支持して前記壁面に固定される桟が設けられていることを特徴とする。
【００１０】
請求項４記載の陰極防汚システムは、請求項２または３記載の陰極防汚システムにおいて、前記電極パネルに、前記支持部材間に嵌め込まれた状態で自らを前記壁面に押し付ける力を発揮する付勢手段が設けられていることを特徴とする。
【００１１】
請求項５記載の陰極防汚システムは、請求項２記載の陰極防汚システムにおいて、前記電極パネルが、平坦な基板の少なくともいずれか一方の側面に前記導電材料を貼付されたものであることを特徴とする。
【００１２】
請求項６記載の陰極防汚システムは、請求項５記載の陰極防汚システムにおいて、前記電極パネルのうち、前記壁面に向かい合って配設される側面が、防食材に被覆されていることを特徴とする。
【００１３】
請求項７記載の陰極防汚システムは、請求項２記載の陰極防汚システムにおいて、前記支持部材と前記電極パネルとの間に、両者にそれぞれ係止することで前記支持部材に前記電極パネルを固定するスプラインが設けられていることを特徴とする。
【００１４】
請求項８記載の陰極防汚システムは、請求項２記載の陰極防汚システムにおいて、前記支持部材間に嵌め込まれた電極パネルと前記壁面との間に充填材が配設されていることを特徴とする。
【００１５】
請求項９記載の陰極防汚システムは、請求項８記載の陰極防汚システムにおいて、前記充填材が前記壁面と前記電極パネルとを全面的または部分的に接着する接着剤であることを特徴とする。
【００１６】
【発明の実施の形態】
本発明の第１の実施形態を図１ないし図３に示して説明する。
図１には、水生生物の付着を防止するシステムの一例として、取水口１の壁面１ａに沿って亜鉛や錫メッキ鋼板等のアルカリ不溶性の導電材料からなる電極パネル（「防汚プレート」ともいう）２を設置するとともに、取水口１内の海水に浸かるように白金またはカーボン等からなる電極部材３を設置した、陰極防汚と呼ばれるシステムの概要を示す。このシステムにおいては、電極パネル２を陰極、電極部材３を陽極として海水を介して両極間に通電し、電極パネル２の表面からヒドロキシイオン（ＯＨ−）を発生させて水生生物の付着を防止する。
【００１７】
電極パネル２には陰極通電端子３ｂが設けられ、電極部材３には陽極通電端子３ａが設けられており、各端子が電源装置の陰極、陽極にそれぞれ接続されている。電極パネル２自体は、厚さが均一で平面視すると、特殊な部分を除いて概ね長方形状をなし、図２に示すように、壁面１ａにボルト４によって固定された複数の取付レール（支持部材）５に支持されている。これら複数の取付レール５は、一部のものを除いて断面視するとＨ形をなし、壁面１ａの高さに一般的には等間隔に離間して水平に配設されている。電極パネル２は、その長辺２ａを取付レール５の上下の窪み５ａに嵌め込まれて支持され、壁面１ａとの間に僅かな隙間を空けて配設されている。
【００１８】
取付レール５のなかでも、壁面１ａの最下部および最上部に位置するものは、片側でしか電極パネル２を支持しないので、断面形状はコ字形をなし、その窪み５ｂに電極パネル２を嵌め込むようになっている。また、ボルト４には、取水口１の水流を極力乱さないようにするために、頭頂部が平坦な皿ネジ型が採用されている。
【００１９】
壁面１ａと電極パネル２との間には、接着剤６が充填されており、固化した接着剤６によって壁面１ａに電極パネル２が強固に接着されている。壁面１ａと電極パネル２との間に隙間があると、取水口１をかなり速い速度で海水が流れた場合、電極パネル２の表面と裏面との間で圧力差が生じ、電極パネル２が取水口１の内側に引き出されるような作用が生まれる可能性があるが、接着剤６で壁面１ａに電極パネル２を全面的または部分的に接着しておくことで、上記のような作用が生まれても、万が一にも電極パネル２が取付レール５から外れることがない。また、接着剤６ではなく、発砲材等を隙間に充填してもよい。この場合は、発泡剤による自己接着力はあるが、接着剤６のような接着作用は生じずとも、電極パネル２の裏面に海水の圧が作用しなくなるので、圧力差による電極パネル２の変形が防止されることになる。
【００２０】
上記のような電極パネル２の設置作業を図３を参照して説明する。
まず、取水口１の壁面１ａに、所定の間隔を空けて取付レール５を横方向または縦方向に配置し、ボルト４を用いて壁面１ａに固定する。次に、取付レール５を横方向に設けた場合を例として説明すると、海に面した開口部（図示略）側から取水口１に電極パネル２を長辺２ａを横にして運び込み、その長辺２ａを向かい合う取付レール５の窪み５ａの間（または５ａと５ｂとの間）に嵌め込む。そして、取付レール５間に嵌め込んだ電極パネル２を、取付レール５に沿い、取水口１の最奥部に向けて滑り込ませる。続けて２枚目、３枚目の電極パネル２を取付レール５間に同じ要領で滑り込ませ、ある段すべてに電極パネル２を設置し終わったら、次の段に移って上記と同様の作業を繰り返す。壁面１ａを覆うようにすべての段に電極パネル２を設置し終わったら、壁面１ａとすべての電極パネル２との間に、接着剤６を充填する。接着剤６が十分に固化したら作業は終了する。
【００２１】
上記のように電極パネル２を設置することで、その作業性を大幅に向上させることができる。ほとんどの場合、発電プラントの取水口１は上面が開放しておらず、筒状になって海に続いているため、陸上からの設置は考え難い。そこで、海に面した開口部から次々に電極パネル２を滑り込ませれば、大型の電極パネル２であっても比較的容易に施工することができる。電極パネル２は、運搬船を使って海から現地に搬入するようにすれば、資材の運搬作業も軽減されてさらに有効である。
【００２２】
次に、本発明の第２の実施形態を図４ないし図６に示して説明する。なお、上記実施形態において既に説明した構成要素には同一符号を付して説明は省略する。
本実施形態においては、壁面１ａに水平に配設されて電極パネル２の長辺２ａを支持する取付レール５の他に、横方向に隣り合う電極パネル２間に鉛直方向に配設されて電極パネル２の短辺２ｂを支持する縦桟７が設けられている。縦桟７は、図４に示すように、取付レール５と同様に断面視するとＨ形をなしており、電極パネル２は、その短辺２ｂを縦桟７の両側の窪み７ａに嵌め込まれて支持されている。
【００２３】
上記のような電極パネル２の設置作業を図５を参照して説明する。
まず、取水口１の壁面１ａに、所定の間隔を空けて取付レール５を配置し、ボルト４を用いて壁面１ａに固定する。このとき、取付レール５は、縦桟７を取り付ける寸法分だけ離して固定する。次に、海に面した開口部（図示略）側から取水口１に電極パネル２を長辺２ａを横にして運び込み、その長辺２ａを向かい合う取付レール５の窪み５ａの間（または５ａと５ｂとの間）に嵌め込む。そして、取付レール５間に嵌め込んだ電極パネル２を、取付レール５に沿い、取水口１の最奥部に向けて滑り込ませる。１枚目の電極パネル２を所定の位置（最奥部）に設置したら、その手前の取付レール５間に縦桟７を配置し、一方の窪み７ａに電極パネル２の短辺２ｂを嵌め込んだうえで、ボルト４を用いて壁面１ａに固定する。続けて２枚目の電極パネル２を取付レール５間に滑り込ませ、先に施工した縦桟７の他方の窪み７ａに短辺２ｂを嵌め込む。以降は同じ要領で縦桟７および電極パネル２の施工を交互に繰り返す。
【００２４】
ある段すべてに電極パネル２を設置し終わったら、次の段に移って上記と同様の作業を繰り返す。壁面１ａを覆うようにすべての段に電極パネル２を設置し終わったら、壁面１ａとすべての電極パネル２との間に、接着剤６を充填する。接着剤６が十分に固化したら作業は終了する。なお、接着剤６の充填は電極パネル２を一段設置する毎に行ってもよい。また、接着剤６にかえてコンクリート釘等で止めてもよい。
【００２５】
上記のように取付レール５に縦桟７を組み合わせて電極パネル２を設置することで、作業量は増すが電極パネル２の固定強度を向上させることができる。
なお、取付レール５や縦桟７に、図６に示すように補助的な桟８ａ，８ｂを取り付けることでさらに強度の向上を図るようにしてもよい。
【００２６】
次に、本発明の第３の実施形態を図７および図８に示して説明する。なお、上記実施形態において既に説明した構成要素には同一符号を付して説明は省略する。
上記第１、第２の実施形態では、取付レール５や接着剤６、縦桟７によって壁面１ａに電極パネル２を固定する構造を示したが、電極パネル２自体に、自らを壁面１ａに押し付けるようなしくみを設けてもよい。例えば、図７に示す電極パネル２は、平面状ではなく断面く字状（両長辺２ａからほぼ等距離に離間した中央が突出した形状）に成形されており、さらに両長辺２ａ間の直線距離が、取付レール５の窪み５ａ間の距離よりも長くなっている。
【００２７】
このような形状に成形した電極パネル２を、くの字の角度を狭めるように弾性変形させたうえで、両長辺２ａをそれぞれ取付レール５の窪み５ａに嵌め込む。その後、電極パネル２の拘束を解くと、電極パネル２がもとの形状に戻ろうとするが、両長辺２ａ間の直線距離が、取付レール５の窪み５ａ間の距離よりも長くなっているから、弾性変形が完全には解消せず、電極パネル２が長辺２ａを窪み５ａに押し当てる力Ｆを生み、結果的に自らを壁面１ａに押し付ける。つまり、電極パネル２自体が付勢手段としての機能を発揮するのである。
【００２８】
図８に示す電極パネル２は、短辺２ｂ方向に２分割され、２つの分割体２ｃ間にバネを仕込んだヒンジ機構９が設けられている。ヒンジ機構９は、内蔵するバネによって２分割された電極パネル２を平面状に復帰させようとする力を発揮するものである。また、ヒンジ機構９の作用によって平面状になったときの両長辺２ａ間の直線距離は、取付レール５の窪み５ａ間の距離よりも長くなっている。
【００２９】
このような構造の電極パネル２を、まずはヒンジ機構９の作用に抗してくの字状に変形させたうえで、両長辺２ａをそれぞれ取付レール５の窪み５ａに嵌め込む。その後、電極パネル２の拘束を解くと、電極パネル２がヒンジ機構９の作用によってもとの形状に戻ろうとするが、両長辺２ａ間の直線距離が、取付レール５の窪み５ａ間の距離よりも長くなっているから、ヒンジ機構９の作用が導入されたままとなって、電極パネル２が長辺２ａを窪み５ａに押し当てる力（図７のＦと同じ）を生み、結果的に自らを壁面１ａに押し付ける。
【００３０】
上記のように、電極パネル２自体に自らを壁面１ａに押し付けるしくみを付与することで、電極パネル２の固定強度を向上させることができる。
【００３１】
次に、本発明の第４の実施形態を図９ないし図１２に示して説明する。なお、上記実施形態において既に説明した構成要素には同一符号を付して説明は省略する。
本実施形態の電極パネル２は、図９に示すように、矩形の基板１０の周囲に溝１１を形成し、さらにその表面すべてに薄い鋼板１２を貼り付けたものである。基板１０は、ロックウールやグラスウール、硬質発泡体、新建材（粉体に木材のチョップを混ぜて固めたもの）、木材等を材料とし、鋼板１２と比べてはるかに高い面剛性を備えている。
【００３２】
上記のような構成の電極パネル２は、図１０に示すように、壁面１ａに対して縦方向に配設された複数の枠材（支持部材）１４に支持されている。枠材１４はＳＵＳ等の導電材料からなり、断面視するとＨ形をなし、壁面１ａを形成するコンクリートに先端を埋設されたアンカーボルト１５によって固定されている。枠材１４には溝１６が形成されており、枠材１４間に電極パネル２が嵌め込まれると、溝１１と溝１６とが合致し、枠材１４の配設方向から見ると矩形の空間を形成するようになっている。溝１１，１６間には長尺のスプライン１７ａが挿入されている。スプライン１７ａは枠材１４と同じくＳＵＳ等の導電材料からなり、枠材１４と電極パネル２とにそれぞれ係止することで枠材１４に電極パネル２を固定する役割を担う。
【００３３】
枠材１４に支持されて縦方向に隣り合う電極パネル２は、図１１に示すように、突き合わされた側縁の溝１１どうしが合致し、横方向から見ると矩形の空間を形成して、この空間にスプライン１７ｂが挿入されている。また、最下部の電極パネル２のさらに下側には、壁面１ａに対して横方向に配設された枠材１８が配設され、他と隣り合うことのない電極パネル２の下側の側縁を支持している。枠材１８は、断面視するとＬ形をなし、壁面１ａを形成するコンクリートに先端を埋設されたアンカーボルト１９によって固定されている。枠材１８にはスプライン２０が固定されていて、最下部の電極パネル２の溝１１に係合して壁面１ａからの離脱を阻止している。
【００３４】
上記のような構造の電極パネル２の設置作業について説明する。
まず、取水口１の壁面１ａに、所定の間隔を空けて枠材１４を配置し、アンカーボルト１５を用いて壁面１ａに固定する。次に、電極パネル２を向かい合う枠材１４間に嵌め込み、枠材１８のスプライン２０を電極パネル２の下側の長辺２ａに沿う溝１１に係合させるとともに、電極パネル２の短辺２ｂに沿う溝１１と枠材１４の溝１６とを合致させる。そして、電極パネル２の上側の長辺２ａに沿う溝１１にスプライン１７ｂを挿入する。
【００３５】
次に、２枚目の電極パネル２を向かい合う枠材１４間に嵌め込み、１枚目の電極パネル２の溝１１に嵌め込まれたスプライン１７ｂを２枚目の電極パネル２の下側の長辺２ａに沿う溝１１に係合させるとともに、２枚目の電極パネル２の短辺２ｂに嵌め込まれた沿う溝１１と枠材１４の溝１６とを合致させる。以降は同じ要領で枠材１４間に電極パネル２を設置する。
【００３６】
次に、取水口１の上方から溝１１，１６間にスプライン１７ａを挿入し、枠体１４にスプライン１７ａを介して電極パネル２を固定する。ある列すべてに電極パネル２を固定したら、次の列に移って上記と同様の作業を繰り返す。壁面１ａを覆うようにすべての列に電極パネル２を設置し終わったら、壁面１ａとすべての電極パネル２との間に、接着剤６を充填する。接着剤６が十分に固化したら作業は終了する。なお、接着剤６の充填は、作業の行い易さを考慮して電極パネル２を一列設置する毎、または一枚設置する毎に行ってもよい。
【００３７】
上記のように電極パネル２を設置することで、その作業性を大幅に向上させることができる。特に、電極パネル２に高い剛性を確保し、電極面を平滑な状態に保ちながらの施工が可能であり、施工の精度が高まるので、施工後の電極パネル２が高い耐久性を秘め、継続的に非常に高い防汚性能が得られる。
【００３８】
ところで、本実施形態においては、電極パネル２と枠材１４との間の通電をスプライン１７のみに頼っているが、高い通電性を確保しようとするならば、両者の隙間を取水口１側から塞ぐように薄い鋼板１２ａを貼り付け、両者に対して溶接してしまうのが好ましい。これとは別に、鋼板１２ａを導電性を有する接着剤で接着する方法もある。
【００３９】
また、本実施形態においては、剛性を発揮する基板１０のすべての表面に鋼板１２を貼り付けた電極パネル２を使用したが、図１２（ａ）に示すように、施工後に海水に接する側面にのみ、鋼板１２を貼り付けた電極パネル２を使用しても構わない。このとき、鋼板１２を貼設した面以外にはすべて防水塗装を施すことが望ましい。また、鋼板１２を厚くして基板１１に等しい剛性を発揮させることが可能であれば、図１２（ｂ）に示すように、矩形の鋼板１２の周囲に、ＳＵＳ等の導電材料からなる縁材１３を溶接により固定した電極パネル２を使用しても構わない。
【００４０】
次に、本発明の第５の実施形態を図１３に示して説明する。なお、上記実施形態において既に説明した構成要素には同一符号を付して説明は省略する。
本実施形態の電極パネル２は、矩形の基板１０の周囲に縁材１３を取り付け、一方の側面に薄い鋼板１２を貼り付けたものである。そして、縁材１３には、スプラインの代わりとなる突条２１が設けられている。また、鋼板１２が設けられない他方の側面には防食被膜２３が形成されている。
【００４１】
上記のような構造の電極パネル２の設置作業について説明する。
まず、取水口１の壁面１ａに、所定の間隔を空けて枠材１４を配置し、アンカーボルト１５を用いて壁面１ａに固定する。次に、取水口１の上方に電極パネル２を配置し、縁材１３の突条２１を枠材１４の溝１６に嵌め合わせたうえで、枠材１４間に滑り込ませる。続けて２枚目、３枚目の電極パネル２を枠材１４間に同じ要領で滑り込ませ、ある列すべてに電極パネル２を設置し終わったら、次の列に移って上記と同様の作業を繰り返す。壁面１ａを覆うようにすべての段に電極パネル２を設置し終わったら、必要に応じて枠材１４と縁材１３とをシール溶接する（溶接部分は２２）。最後に、壁面１ａとすべての電極パネル２との間に接着剤６を全面的または部分的に充填する。接着剤６が十分に固化したら作業は終了する。なお、枠材１４と縁材１３とを溶接するのではなく、導電性を有する接着剤で接着してもよい。
【００４２】
上記のように電極パネル２を設置することで、スプラインの挿入作業が省略されることによる作業性の向上が期待できる。
【００４３】
【発明の効果】
以上説明したように、本発明によれば、電極パネルを水生生物の付着防止といった防汚処理を必要とする壁面に設置する際の作業性を大幅に向上させることができる。特に、電極パネルを壁面に固定された支持部材に沿って滑らせて所定の位置に移動させることにより、電極パネルの搬入作業の負担を大幅に解消することができる。電極パネルが大型であるほどそのメリットは大きい。また、電極パネル２に高い剛性を確保し、電極面を平滑な状態に保ちながらの施工が可能であり、施工の精度が高まるので、施工後の電極パネル２が高い耐久性を秘め、継続的に非常に高い防汚性能が得られる。
【図面の簡単な説明】
【図１】本発明の第１の実施形態を示す図であって、陰極防汚システムの概要を示す取水口の断面図である。
【図２】取水口の壁面に固定された電極パネルを示す断面図である。
【図３】取水口の壁面に対する電極パネルの設置作業を説明するための状態説明図である。
【図４】本発明の第２の実施形態を示す図であって、電極パネルを固定するための縦桟の形状を示す斜視図である。
【図５】取水口の壁面に対する電極パネルの設置作業を説明するための状態説明図である。
【図６】壁面に設置された電極パネルを補助的に支える桟を示す側面図である。
【図７】本発明の第３の実施形態を示す図であって、弾性変形することによって生じる力で自らを壁面に押し付ける電極パネルの形状を示す断面図である。
【図８】同じく第３の実施形態を示す図であって、ヒンジ機構の付勢力によって自らを壁面に押し付ける電極パネルの形状を示す断面図である。
【図９】本発明の第４の実施形態を示す図であって、電極パネルの構造を示す斜視断面図である。
【図１０】取水口の壁面に固定された電極パネルを縦方向から見た断面図である。
【図１１】取水口の壁面に固定された電極パネルを横方向から見た断面図である。
【図１２】電極パネルの変形例を示す断面図である。
【図１３】本発明の第４の実施形態を示す図であって、取水口の壁面に固定された電極パネルを縦方向から見た断面図である。
【符号の説明】
１      取水口
１ａ    壁面
２      電極パネル
３      電極部材
５      取付レール（支持部材）
６      接着剤（充填材）
７      縦桟
９      ヒンジ機構（付勢手段）
１０    基板
１１，１６  溝
１２    鋼板
１３    縁材
１４    枠材（支持部材）
１７ａ，１７ｂ  スプライン
２１  突条
【図１】
2004270164.tif 000003
【図２】
2004270164.tif 000004
【図３】
2004270164.tif 000005
【図４】
2004270164.tif 000006
【図５】
2004270164.tif 000007
【図６】
2004270164.tif 000008
【図７】
2004270164.tif 000009
【図８】
2004270164.tif 000010
【図９】
2004270164.tif 000011
【図１０】
2004270164.tif 000012
【図１１】
2004270164.tif 000013
【図１２】
2004270164.tif 000014
【図１３】
2004270164.tif 000015